(57)【要約】【課題】  済みスタンプの印体を交換すべくスタンプホルダを回動させた時に、印体がスタンプ本体から抜け落ちて装置本体上に落下するのを防止する手段を提供する。【解決手段】  本画像読取装置１は、原稿トレイ６から読取位置Ｘを経て排紙トレイ８へ至る搬送路９と、該搬送路９の読取位置Ｘより下流側に設けられ、読み取りが正常に完了したことを示す読取完了印を原稿Ｐに押印する印体１８及び該印体１８を脱着自在に支持するスタンプ本体１６からなる済みスタンプ１４とを具備し、済みスタンプ１４を保持するスタンプホルダ１５が、装置本体４に対して開閉可能に設けられた原稿押圧板５によって回動自在に支持され、印体１８がスタンプ本体１６から脱落しないようにスタンプホルダ１５の回動を規制する回動規制面２８が設けられたものである。【選択図】  図４
2007274344.tif 000002
【特許請求の範囲】
【請求項１】
原稿トレイから読取位置を経て排紙トレイへ至る搬送路と、該搬送路の読取位置より下流側に設けられ、読み取りが正常に完了したことを示す読取完了印を原稿に押印する印体及び該印体を脱着自在に支持するスタンプ本体からなる済みスタンプと、を具備してなる画像読取装置において、
前記済みスタンプを保持するスタンプホルダが、装置本体に対して開閉可能に設けられた原稿押圧板によって回動自在に支持され、前記印体が前記スタンプ本体から脱落しないように前記スタンプホルダの回動を規制する脱落防止ストッパが設けられたことを特徴とする画像読取装置。
【請求項２】
前記脱落防止ストッパが、前記スタンプホルダに設けられたことを特徴とする請求項１記載の画像読取装置。
【請求項３】
前記脱落防止ストッパは、前記原稿押圧板に当接する回動規制面であることを特徴とする請求項２記載の画像読取装置。
【請求項４】
前記印体が前記スタンプ本体に出没自在に挿通され、前記脱落防止ストッパは、前記印体が水平状態となる位置を越えて前記スタンプホルダが前記装置本体側へ回動するのを規制するものであることを特徴とする請求項１乃至３のいずれかに記載の画像読取装置。
【発明の詳細な説明】
【技術分野】
【０００１】
本発明は、画像読み取りが正常に完了したことを示す読取完了印を原稿に押印する済みスタンプを備えた画像読取装置に関し、特に、済みスタンプを原稿押圧板に取り付けるためのスタンプホルダが原稿押圧板に対して回動可能に設けられ、済みスタンプの印体を交換可能な画像読取装置に関する。
【背景技術】
【０００２】
スキャナ，ファクシミリ，複写機等の多くには、原稿の画像情報を読み取るための画像読取装置が搭載されている。この画像読取装置による画像読み取り方式としては、原稿をプラテンガラス上に載置してその下方を移動する読取ユニットで原稿画像を読み取るフラットベッド方式と、複数枚の原稿を順次搬送しながら所定位置に待機した読取ユニットで原稿画像を読み取るシートスルー方式とがある。図６は、フラットベッド方式とシートスルー方式の両方で画像読み取りが可能な従来の画像読取装置７０を示す概略縦断面図である。この画像読取装置７０は、上面にプラテンガラス７１が配設されてなる装置本体７２と、該装置本体７２に対して開閉可能に設けられた原稿押圧板７３とを備え、フラットベッド方式による画像読み取り時には、原稿押圧板７３を開いてプラテンガラス７１上に原稿Ｐを載置し、原稿押圧板７３を閉じて原稿Ｐをプラテンガラス７１に密着させた状態において、読取ユニット７４がその下方を移動しながら原稿画像を読み取る。
【０００３】
また、図６に示すように、原稿押圧板７３には、読み取るべき原稿Ｐをセットするための原稿トレイ７５と、読み取りが完了した原稿Ｐを貯留するための排紙トレイ７６と、原稿トレイ７５から排紙トレイ７６へ原稿を搬送する自動原稿搬送装置（以下、「ＡＤＦ」という）７７とが設けられており、シートスルー方式による画像読み取り時には、読取位置Ｘに待機した読取ユニット７４が、ＡＤＦ７７によって順次搬送される原稿Ｐの画像を読み取るものとなっている。
【０００４】
ここで、ＡＤＦ７７の内部には、図６に示すように、原稿トレイ７５と排紙トレイ７６を連通する搬送路７８が形成され、この搬送路７８における読取位置Ｘより下流側には、画像読み取りが正常に完了したことを示す読取完了印を原稿Ｐに押印する済みスタンプユニット７９が設けられている（例えば特許文献１参照）。
【０００５】
図７は、図６における済みスタンプユニット７９近傍を拡大した部分拡大断面図である。済みスタンプユニット７９は、図７（ａ）に示すように、搬送路７８を搬送される原稿Ｐに読取完了印を押印する済みスタンプ８０と、この済みスタンプ８０を原稿押圧板７３に取り付けるためのスタンプホルダ８１とを備えてなるものである。ここで、済みスタンプ８０は、円筒形状のスタンプ本体８２に棒状の印体８３が出没自在に挿通されたものである。また、スタンプホルダ８１は、その基端部が、原稿押圧板７３に突設された補強用リブ８４によって回動可能に支持される一方、その先端部が、原稿押圧板７３に突設された係止用リブ８５に係止可能に形成されている。これにより、通常の画像読み取り時には、スタンプホルダ８１の先端部を係止用リブ８５に係止させることで済みスタンプ８０を搬送路７８に直交する姿勢で保持し、読み取りが正常に完了した原稿Ｐが通過する際に、印体８３がスタンプ本体８２から飛び出して原稿Ｐに押圧されることにより、読取完了印が原稿Ｐに押印される。一方、印体８３にインク切れ等が生じた場合には、原稿押圧板７３を開き、スタンプホルダ８１の係止用リブ８５への係止を解除して装置本体７２側へ回動させる。これにより、済みスタンプ８０が装置本体７２側へ露呈されるので、印体８３をスタンプ本体８２から抜き取って新たな印体８３と交換することができる。
【０００６】
【特許文献１】特開２００１−０５３９２３号公報
【発明の開示】
【発明が解決しようとする課題】
【０００７】
しかし、従来の画像読取装置７０では、印体８３がスタンプ本体８２に出没自在に挿通されているため、印体８３の交換作業時にユーザが済みスタンプユニット７９から手を離すと、スタンプホルダ８１がその自重によって装置本体７２側へ回動し、印体８３の先端部が基端部より低い状態になると、図７（ｂ）に示すように、印体８３がスタンプ本体８２から抜け落ちて装置本体７２上に落下する。これにより、装置本体７２の上面に配設されたプラテンガラス７１が傷付き又はインクが付着して汚れる等して、原稿画像の読取品質が劣化するという問題が生じる。従って、済みスタンプ８０の上記構造に精通していないユーザが印体８３の交換作業を行う場合でも、印体８３が落下するのを防止し得る機構が必要とされる。
【０００８】
本発明は、このような問題に鑑みてなされたものであり、済みスタンプの印体を交換すべくスタンプホルダを回動させた時に、印体がスタンプ本体から抜け落ちて装置本体上に落下するのを防止する手段を提供する。
【課題を解決するための手段】
【０００９】
上記目的を達成するための請求項１記載の画像読取装置は、原稿トレイから読取位置を経て排紙トレイへ至る搬送路と、該搬送路の読取位置より下流側に設けられ、読み取りが正常に完了したことを示す読取完了印を原稿に押印する印体及び該印体を脱着自在に支持するスタンプ本体からなる済みスタンプと、を具備してなる画像読取装置において、前記済みスタンプを保持するスタンプホルダが、装置本体に対して開閉可能に設けられた原稿押圧板によって回動自在に支持され、前記印体が前記スタンプ本体から脱落しないように前記スタンプホルダの回動を規制する脱落防止ストッパが設けられたものである。
【００１０】
請求項２記載の画像読取装置は、前記脱落防止ストッパが、前記スタンプホルダに設けられたものである。
【００１１】
請求項３記載の画像読取装置は、前記脱落防止ストッパは、前記原稿押圧板に当接する回動規制面であることを特徴とするものである。
【００１２】
請求項４記載の画像読取装置は、前記印体が前記スタンプ本体に出没自在に挿通され、前記脱落防止ストッパは、前記印体が水平状態となる位置を越えて前記スタンプホルダが前記装置本体側へ回動するのを規制するものである。
【発明の効果】
【００１３】
本発明に係る画像読取装置によれば、前記脱落防止ストッパを設けたことにより、済みスタンプの印体を交換すべくスタンプホルダを回動させた時に、印体がスタンプ本体から抜け落ちて装置本体上に落下することを防止することができる。これにより、プラテンガラスが傷付き又は汚れることがなく、原稿画像の読取品質を良好に保つことができる。
【００１４】
また、本発明に係る画像読取装置によれば、前記脱落防止ストッパが前記スタンプホルダに設けられたので、原稿押圧板の構造を複雑化する必要がなく、金型の設計変更等によるコストアップを伴うことなく印体のスタンプ本体からの脱落を防止することができる。
【００１５】
また、本発明に係る画像読取装置によれば、ユーザが済みスタンプユニットから手を離すと、印体がスタンプ本体から脱落せず且つスタンプ本体が装置本体側へ最大限露呈した位置、すなわち印体が水平状態となる位置でスタンプホルダが停止する。これにより、印体の脱落を防止しつつ、印体の交換作業の作業性を良好に保つことができる。
【発明を実施するための最良の形態】
【００１６】
以下、本発明の実施例に係る画像読取装置について図面に基づいて説明する。図１は、本実施例に係る画像読取装置１の構成を示す概略縦断面図である。本画像読取装置１は、コピー・ファクシミリ複合機等の上部に設けられ、複写しようとする原稿やファクシミリ送信しようとする原稿の画像情報を読み取るために使用するものである。この画像読取装置１は、内部に読取ユニット２を収容し上面にプラテンガラス３が配設されてなる装置本体４と、該装置本体４の上部に開閉可能に設けられた原稿押圧板５とを備えてなるものであり、フラットベッド方式による画像読み取り時には、原稿押圧板５を開いてプラテンガラス３上に原稿Ｐを載置し、原稿押圧板５を閉じて原稿Ｐをプラテンガラス３に密着させた状態において、読取ユニット２がその下方を移動しながら原稿画像を読み取る。
【００１７】
また、図１に示すように、原稿押圧板５には、読み取るべき原稿Ｐをセットするための原稿トレイ６と、読み取りが完了した原稿Ｐを貯留するための排紙トレイ７と、原稿トレイ６から排紙トレイ７へ原稿Ｐを搬送する自動原稿搬送装置（以下、「ＡＤＦ」という）８とが設けられており、シートスルー方式による画像読み取り時には、読取位置Ｘに待機した読取ユニット２が、ＡＤＦ８によって順次搬送される原稿Ｐの画像を読み取るものとなっている。
【００１８】
ここで、ＡＤＦ８は、図１に示すように、原稿トレイ６と排紙トレイ７を連通する搬送路９と、原稿トレイ６上に積載された原稿Ｐを最上紙から１枚ずつ分離して搬送路９に繰り込む給紙ユニット１０と、搬送路９に沿って適宜配設されて原稿Ｐを下流へ搬送する搬送ローラ１１と、搬送路９の読取位置Ｘより下流側に設けられ原稿Ｐの読み取りが正常に完了したことを示す読取完了印を原稿Ｐに押印する済みスタンプユニット１２と、搬送路９の最下流端に配設された排出ローラ対１３と、を備えてなるものである。
【００１９】
図２は、済みスタンプユニット１２の構成を示す概略斜視図であるが、済みスタンプユニット１２は、原稿Ｐに読取完了印を押印する済みスタンプ１４、及び済みスタンプ１４を原稿押圧板５に取り付けるためのスタンプホルダ１５から構成されている。ここで、済みスタンプ１４は、略円筒形状のスタンプ本体１６と、該スタンプ本体１６の底部に敷設された磁石板１７と、スタンプ本体１６によって脱着自在に支持された印体１８と、スタンプ本体１６を補強するための補強フレーム１９とを具備してなるものである。
【００２０】
スタンプ本体１６は、コイルが巻回されてなるソレノイドであって、磁石板１７とともに補強フレーム１９によって保持され、この補強フレーム１９がスタンプホルダ１５に固定ねじ２０で固定されることにより、スタンプホルダ１５上に立設されている。また、印体１８は、図２に示すように、磁石板１７と逆極性の磁石２１が基端部に埋め込まれた芯棒２２の先端部に、インクを含浸したスポンジ材２３が設けられたものである。この印体１８は、その芯棒２２が基端側から補強フレーム１９を貫通してスタンプ本体１６に挿通されている。ここで、芯棒２２の外径はスタンプ本体１６の内径より小さく形成されており、芯棒２２はスタンプ本体１６に対して出没自在に挿通されている。これにより、印体１８は、スタンプ本体１６によって脱着自在に支持された状態となっている。このように構成される済みスタンプ１４では、スタンプ本体１６に通電すると、磁界の発生により、印体１８はその芯棒２２がスタンプ本体１６から突出する方向へ移動する一方、スタンプ本体１６への通電を終了すると、印体１８はその芯棒２２がスタンプ本体１６に没入する方向へ移動するものとなっている。尚、印体１８をスタンプ本体１６によって脱着自在に支持する構造は、芯棒２２をスタンプ本体１６に出没自在に挿通させる本実施例に限定されず、種々の設計変更が可能である。
【００２１】
前記スタンプホルダ１５は、図２に示すように、済みスタンプ１４が取り付けられてなるスタンプ取付部２４と、原稿押圧板５によって支持される左右一対の支持部２５と、原稿押圧板５に係止可能な係止部２６とからなるものである。左右一対の支持部２５は、スタンプ取付部２４の長手方向両端部から斜め下方に向かってそれぞれ突出し、その外側面には回動支軸２７がそれぞれ突設されている。また、各支持部２５の先端部すなわちスタンプ取付部２４と逆側の端部に、印体１８の芯棒２２と平行する回動規制面（脱落防止ストッパ）２８が形成されている。また、係止部２６は、図２に示すように、スタンプ取付部２４の長手方向中間部から略９０°の角度をなすようにして上方へ突出し、中間部で所定角度をなすように外側へ曲折されるとともに、先端部で中間部とは逆方向に略９０°の角度をなすように曲折されている。このように構成されるスタンプホルダ１５は、図１に示すように、その各支持部２５の回動支軸２７が、原稿押圧板５を補強すべくその装置本体４側面に突設された補強用リブ２９によって軸支されることにより、原稿押圧板５に対して回動可能に取り付けられるとともに、係止部２６の先端部であって略９０°曲折された部分を、原稿押圧板５の装置本体側面に突設された係止用リブ３０に係止可能となっている。
【００２２】
次に、通常の画像読み取り時または印体１８の交換作業時における済みスタンプユニット１２の動作について説明する。図３及び図４は、図１における済みスタンプユニット１２の近傍を拡大した部分拡大断面図である。通常の画像読み取り時には、図３（ａ）に示すように、スタンプホルダ１５の係止部２６が係止用リブ３０に係止され、済みスタンプ１４はその芯棒２２が搬送路９に略直交した状態で保持されている。この状態からスタンプ本体１６に通電すると、図３（ｂ）に示すように、印体１８がスタンプ本体１６から飛び出して、その先端部のスポンジ材２３が搬送路９を搬送される原稿Ｐに押圧される。これにより、画像読み取りが正常に完了したことを示す読取完了印が原稿Ｐに押印される。
【００２３】
一方、スポンジ材２３のインク切れ等が生じて印体１８を交換する場合には、図１に示す原稿押圧板５を開き、図４に示すように、スタンプホルダ１５をその係止用リブ３０への係止を解除して回動支軸２７廻りに装置本体４側へ回動させる。これにより、スタンプホルダ１５に取り付けられた済みスタンプ１４が装置本体４側へ露呈されるので、印体１８をスタンプ本体１６から抜き取って新たな印体１８に交換することができる。ここで、印体１８の交換作業時にユーザが済みスタンプユニット１２から手を離すと、支持力を失った済みスタンプユニット１２は、その自重によって回動支軸２７廻りに装置本体４側へ回動する。この場合でも、前述のように、スタンプホルダ１５を構成する左右一対の支持部２５には、その先端部に回動規制面２８が形成されているため、図４に示すように、原稿押圧板５を形成する底部フレーム３１に対して回動規制面２８を当接させた状態、すなわち回動規制面２８を水平方向に向けた状態で済みスタンプユニット１２の回動が停止し、この位置を越えて済みスタンプユニット１２は回動不能となっている。
【００２４】
ここで、前述のように、スタンプホルダ１５の回動規制面２８は印体１８の芯棒２２と平行するように形成されているため、回動規制面２８が底部フレーム３１に当接した状態では、スタンプホルダ１５に取り付けられた済みスタンプ１４は、その印体１８の芯棒２２が回動規制面２８に平行した水平状態となっている。このように、印体１８のスポンジ材２３が設けられた先端側がスタンプ本体１６に挿通された基端側よりも高い位置か少なくとも同じ高さ位置になるように、スタンプホルダ１５の回動が規制されているため、スタンプ本体１６によって脱着自在に支持された印体１８がスタンプ本体１６から脱落することがない。従って、印体１８が装置本体４上に落下してプラテンガラス３を傷付けたり汚したりすることによって原稿画像の読み取り品質が劣化するのを防止することができる。
【００２５】
尚、本実施例に代え、例えば図５（ａ）に示すように、回動規制面３２を印体１８の芯棒２２と所定角度をなすように形成し、回動規制面３２が底部フレーム３１に当接した状態で、印体１８の先端側が基端側より高くなるようにすれば、印体１８がスタンプ本体１６から脱落することをより確実に防止することができる。その反面、スタンプホルダ１５の回動範囲を狭くするに連れ、済みスタンプ１４の装置本体４側への露呈部分が小さくなる分、印体１８の交換作業の作業性が低下する。本実施例では、印体１８の抜け落ち防止と印体１８の交換作業の作業性の兼ね合いを考慮して、印体１８がスタンプ本体１６から抜け落ちない範囲内で、印体１８の交換作業の作業性が最も良い位置、すなわち芯棒２２が水平状態となる位置までスタンプホルダ１５を回動可能としている。
【００２６】
また、本実施例では、済みスタンプユニット１２の回動を規制するための脱落防止ストッパとして、スタンプホルダ１５に回動規制面２８を形成したが、これに代え、例えばスタンプホルダ１５に図示しない突起を設け、該突起と原稿押圧板５の当接によって済みスタンプユニット１２の回動を規制することも可能である。更に、本実施例では、済みスタンプユニット１２側に設けた脱落防止ストッパと原稿押圧板５との当接によって済みスタンプユニット１２の回動を規制したが、これとは逆に、図５（ｂ）に示すように、原稿押圧板５に脱落防止ストッパとしての突起３３を突設してこれとの当接によって済みスタンプユニット１２の回動を規制することも可能である。しかし、本実施例のように、脱落防止ストッパを済みスタンプ１４側に設けた方が、原稿押圧板５の金型の設計変更によるコストアップを伴うことなく、印体１８の落下を防止するという本発明の課題を解決することができる。
【産業上の利用可能性】
【００２７】
本発明は、シートスルー方式とフラットベッド方式の両方で原稿の画像読み取りを行う画像読取装置のみならず、シートスルー方式のみで画像読み取りを行う画像読取装置１にも適用可能である。
【図面の簡単な説明】
【００２８】
【図１】本発明の実施例に係る画像読取装置１の構成を示す概略縦断面図。
【図２】済みスタンプユニット１２の構成を示す概略斜視図。
【図３】図１における済みスタンプユニット１２の近傍を拡大した部分拡大断面図。
【図４】図１における済みスタンプユニット１２の近傍を拡大した部分拡大断面図。
【図５】済みスタンプユニット１２の他の構成例を示す部分拡大断面図。
【図６】従来例に係る画像読取装置７０の構成を示す概略縦断面図。
【図７】図６における済みスタンプユニット７９近傍を拡大した部分拡大断面図。
【符号の説明】
【００２９】
１  画像読取装置
４  装置本体
５  原稿押圧板
６  原稿トレイ
７  排紙トレイ
９  搬送路
１４  済みスタンプ
１５  スタンプホルダ
１６  スタンプ本体
１８  印体
２８  回動規制面（脱落防止ストッパ）
Ｐ  原稿
Ｘ  読取位置
【図１】
2007274344.tif 000003
【図２】
2007274344.tif 000004
【図３】
2007274344.tif 000005
【図４】
2007274344.tif 000006
【図５】
2007274344.tif 000007
【図６】
2007274344.tif 000008
【図７】
2007274344.tif 000009